(57)【要約】【目的】苔を取付けた苔付パネルを立体配置して緑化を図る。【構成】表面に苔を取付け、周囲を枠部材４により囲んだ苔付パネル３を単位サイズに形成し、複数枚を並べて隣接する枠部材４をジョイント金具５で連結することにより、上下左右等へ連続させて自由な形状にした広い面積の緑化壁２を形成する。この緑化壁２を壁面１から間隔を持たせて立設し、予め壁面に設けられているナットや植え込みボルト等を利用して、ジョイント金具５にて固定ボルト６で着脱自在に取付ける。これにより壁面１を緑化して景観を良好にするとともに、壁面へ植物接触させないので壁面を損なわない。【選択図】図１
2004261130.tif 000002
【特許請求の範囲】
【請求項１】
植物を壁面等に沿って立体配置することにより緑化するための構造において、表面に苔を一体化してその周囲に枠部材を取付けた苔付パネルを設け、この苔付パネルを前記枠部材にて、予め空間内へ立体配置された支持部材へ着脱自在に取付けたことを特徴とする苔付パネルの立体配置構造。
【請求項２】
前記苔付パネルを単位サイズに形成し、この苔付パネルを複数並べて隣接する各枠部材のコーナーでジョイントにより連結して、前記支持場へ着脱自在に取付けることにより、空間内へ立体的に広がる広い面積の緑化壁を形成することを特徴とする請求項１に記載した苔付パネルの立体配置構造。
【請求項３】
前記緑化壁は、建物等の壁面に沿って上下方向に立てられた支柱に対して着脱自在に取付けられことを特徴とする請求項２に記載した苔付パネルの立体配置構造。
【請求項４】
前記支柱は前記壁面へ着脱自在に取付けられることを特徴とする請求項３に記載した苔付パネルの立体配置構造。
【請求項５】
前記枠部材のうち、少なくとも一部をワイヤー部材で構成したことを特徴とする請求項１に記載した苔付パネルの立体配置構造。
【請求項６】
苔付パネルの傾斜角度を調節自在に取付けたことを特徴とする請求項１に記載した苔付パネルの立体配置構造。
【請求項７】
前記支持部材の角度を調節自在にしたことを特徴とする請求項２に記載した苔付パネルの立体配置構造。
【発明の詳細な説明】
【０００１】
【発明の属する技術分野】
この発明は、苔付パネルを空間内へ立体配置して簡単に緑化できる構造に関する。
【０００２】
【従来の技術】
建物の壁面等を緑化するため、植物を植え込んだブロック状のものを作り、これを壁面へ重ねて覆うようにするものは公知である。また苔を群生させた苔シートを形成することも知られている。
【０００３】
【特許文献１】特開平８−１３４９４１号公報
【特許文献２】特開平４−７０１２６号公報
【特許文献３】特開２００２−１８６３５０号公報
【特許文献４】特開２０００−４３９６７号公報
【０００４】
【発明が解決しようとする課題】
従来の方法は、植物を直接壁面へ接触させるため、植物の根が壁面へ食い込むことになり、植物の根により壁面が破壊される。このため植物が枯れたり、撤去した後の壁面が汚くなり、これを修復するために多くの工数と費用を要した。したがって植物の根が壁面等と非接触の立体配置構造が望まれている。
【０００５】
また、道路や庭などのように、ほぼ水平面内へある程度ラフな施工を許容されるものと異なり、都市景観等を良好にするための緑化では、周囲がぼろぼろ欠落したり見苦しくならないよう、きっちりとデザイン処理された輪郭をなしていることが必要である。したがって、市販されている芝生のように、単に定形ブロック状に切り出しただけのもの（以下、非デザイン処理体）は、このような条件に合致しない。特に、このような非デザイン処理体を単品で空間内へ立体配置して景観向上を図ることはその外観状不可能である。
【０００６】
また、これらの非デザイン処理体を密に並べた状態で生育中に一部が枯れた場合、この部分を取り換えなければならないが、生長した植物は隣り合う非デザイン処理体の境界を越えて複雑に絡まり合っているので、その一部分を切り取り、新たな植物を前からある周囲部分と違和感のないようにはめ合わせなければならないから、手間が掛かりかつ至難のことであった。また野放し状態に伸て輪郭形状が乱れないようにする剪定や整枝等の形状保持に関するメンテナンスにも手間がかかった。したがって、デザイン処理された輪郭を備え、単品でも又は多数を組み合わせた場合でも、良好な外観を有する立体配置緑化物となり、かつ一部を交換することを容易にする等のメンテナンス性を向上させることが望まれている。
【０００７】
さらに、植物の生育を管理するためには、十分な日光の照射や給水をしなければならないが、特に立体配置した場合にはこれらの管理が難しくなるから、生育管理を容易にすることも望まれる。
そこで本願発明は、これらの要請の実現を目的とする。
【０００８】
【課題を解決するための手段】
上記課題を解決するため本願の苔付パネルの立体配置構造に係る請求項１は、植物を壁面等に沿って立体配置することにより緑化するための構造において、表面に苔を一体化してその周囲に枠部材を取付けた苔付パネルを設け、この苔付パネルを前記枠部材にて、予め空間内へ立体配置された支持部材へ着脱自在に取付けたことを特徴とする。
【０００９】
請求項２は、上記請求項１において、前記苔付パネルを単位サイズに形成し、この苔付パネルを複数並べて隣接する各枠部材のコーナーでジョイントにより連結して、前記支持場へ着脱自在に取付けることにより、空間内へ立体的に広がる広い面積の緑化壁を形成することを特徴とする。
【００１０】
請求項３は、上記請求項２において、前記緑化壁は、建物等の壁面に沿って上下方向に立てられた支柱に対して着脱自在に取付けられことを特徴とする。
【００１１】
請求項４は、上記請求項３において、前記支柱は前記壁面へ着脱自在に取付けられることを特徴とする。
【００１２】
請求項５は、上記請求項１において、前記枠部材のうち、少なくとも一部をワイヤー部材で構成したことを特徴とする。
【００１３】
請求項６は、上記請求項１において、苔付パネルの傾斜角度を調節自在に取付けたことを特徴とする。
【００１４】
請求項７は、上記請求項２において、前記支持部材の角度を調節自在にしたことを特徴とする。
【００１５】
【発明の効果】
表面に苔を一体化し周囲を枠部材で囲んだ単位サイズの苔付パネルを形成し、枠部材により立体配置された支持部材へ着脱自在に取付けたので、植物の根を直接壁面等へ接触させないようになり、壁面等を損なうことがなく、撤去後の壁面を修復する必要もない。
【００１６】
また、苔付パネルは周囲を枠部材で囲まれて単位サイズをなしているから、単独で用いてもデザイン処理された緑化壁として景観を良好にすることができる。複数枚用いた場合はそれぞれの間で統一感が得られ、かつ多数枚を連続させた場合も周囲の形状をデザイン処理されたものとし、連続させるときの形状に関するデザインも容易になる。
【００１７】
しかも、苔自体に根がないから、苔付パネルを立体配置しても、根が苔付パネルの外へ張り出して見苦しくなるようなこともない。さらに一部が枯れても、苔付パネルを一単位毎に交換できるので、交換が著しく容易になる。そのうえ、苔は多少の日光を水分のみがあれば良好に生育するとともに、繁りすぎて整枝等が必要になることもないから、常時全体を良好な生育状態に維持する生育管理やメンテナンス作業が容易である。
【００１８】
また、枠部材を支柱間もしくは支持部材自体の傾きを変化させる角度調節手段を設けたので、この角度調節手段により随時苔付パネルの傾きを最適角度に傾斜させれば、日光及び雨水の苔面に対する供給を最適化できる。
【００１９】
【発明の実施の形態】
以下、図面に基づいて実施形態を説明する。
図１〜１２は第１実施例に係り、多数の苔付パネルからなる緑化壁を壁面に沿って設けた例を示す。図１は施工後の正面図、図２は側面図、図３は各種のジョイント金具を示す図、図４は苔付パネルの構成図、図５は苔付パネルの断面図、図６はジョイント部を示す図、図７は図６の７−７線断面図、図８はジョイント金具の表側斜視図、図９は同裏側斜視図、図１０及び図１１は支柱の取付構造を示す図、図１２は支柱の接地構造を示す図
【００２０】
まず、図１及び図２において、建物のコンクリート等からなる壁面１と間隔をもって沿う適当面積の緑化壁２で覆うことにより緑化している。
緑化壁２は、サイズを規格化された苔付パネル３を多数上下・左右へ連続して構成された面積可変のものである。各苔付パネル３は周囲に枠部材４を有し、コーナー部のジョイント金具５により隣り合う苔付パネル３同士が連結されて、全体として単一の緑化壁２を形成している。
【００２１】
苔付パネル３を一単位として、これを増減することにより自由に面積並びに上下・左右方向の寸法を壁面１に逢わせて変更することができ、かつ連結の仕方により、一部のみを高くもしくは低くする等して、形状を任意に変化させることにより、デザイン上の効果を上げることができる。このような連結の自由度はジョイント金具５による連結構造で実現される。
【００２２】
緑化壁２は枠部材４の適所において、固定ボルト６により壁面１へ着脱自在に取付けられている。緑化壁２の下端は、脚部材７を介して接地部８へ着脱自在に固定されている。接地部８はコンクリートやタイル等からなる建造物の床もしくは地面等である。
【００２３】
苔付パネル３は各種のジョイント金具５を示し、いずれもコーナー形状に即した形をなし、アルミ合金等の適宜金属や樹脂等を用いて鋳造もしくは射出成形等の適宜方法により成形される。なお図３中のＡＢＣＤは図１中の同一符号部分に対応している。
【００２４】
図３中のＡは、図１のＡで示したジョイント金具に相当し、４枚の苔付パネル３を連結するためのものであり、十字形をなす。
Ｂは図１のＢで示したジョイント金具に相当し、２枚の苔付パネル３を連結するためのものであり略Ｔ字形をなす。
Ｃは図１のＣで示したジョイント金具に相当し、１枚の苔付パネル３の連結しないコーナー部に設けられるものであり、略Ｌ字形をなす。
Ｄは脚部材７を示す。脚部材７はＣのジョイント金具５へ取付けられる。
【００２５】
図８〜９に示すように、十字形のジョイント金具５は、縦チャンネル１０と横チャンネル１１を十字形にクロスさせた形状に相当し、各チャンネルは、それぞれ枠部材４を嵌合する幅の略コ字状断面をなす。縦チャンネル１０は上下へ通っており、横チャンネル１１は縦チャンネル１０に分断されて、その左右へ張り出す形状をなし、縦チャンネル１０と横チャンネル１１の交点部分に取付穴１２が形成される。
【００２６】
但し、縦チャンネル１０を上下へ通さず、横チャンネル１１で横切らせてもよい。一方のチャンネルを横切る他方のチャンネルの璧部は、枠部材４のストッパとなり、枠部材を連結するときの位置決めを容易にする。なお縦横のチャンネル１０、１１をそれぞれ中央で分断してもよい。
【００２７】
取付穴１２は固定ボルト６を通すためのものであり、この穴を中心して、四方へ腕状に延出する各縦チャンネル１０及び横チャンネル１１の凹部内には、ナットが形成されたボス１３が一体に突出形成され、その上端部は縦チャンネル１０及び横チャンネル１１と面一になっている。
【００２８】
図４に示すように、苔付パネル３は、略正方形の樹脂又は鉄やアルミ合金等の金属製板状をなすプレート１４の前面に苔保持体１５を重ね、接着又はタッカー止め等によって固定して苔付パネル３を構成したものである。プレート１４及び苔保持体１５の各コーナーには取付穴１６，１７が形成されている。
【００２９】
苔付パネル３の周囲には枠部材４が取付けられる。枠部材４はチャンネル状をなし、プレート１４の一辺の長さよりも若干長く、その長さ方向両端にはジョイント金具５のボス１３と重ねる通し穴１８が形成されている。
【００３０】
各枠部材４はジョイント金具５の縦チャンネル１０又は横チャンネル１１内へ嵌合されて、その通し穴１８をボス１３と一致させ、かつこれらの裏側にアダプタ２０を重ねてボルトにより一体化される
【００３１】
アダプタ２０は略正方形の板状をなし、各辺の中央部にボス１３及び通し穴１８と一致するジョイント取付穴２１が形成されている。また、各コーナー部には苔付パネル３の取付穴１６及び取付穴１７と一致するパネル取付穴２２が形成されている。
【００３２】
そこで図６及び図７に示すように、１つのジョイント金具５に対して４つ７の枠部材４をボス１３，取付穴１６及びジョイント取付穴２１に通したボルト２７及びナット２８で締結すれば、１つのジョイント金具５に対して４つの枠部材４が取付けられる。
【００３３】
これを繰り返せば、一枚の苔付パネル３を一単位として、その使用数分の面積をなす緑化壁２を自由に形成できる。なお、緑化壁２の周囲部分は図３のＢ及びＣに示すジョイント金具５を採用すればきれいに縁取りできる。
【００３４】
図５に示すように、苔保持体１５は不織布等からなり、苔を付着させ、かつその生育床となる基層２３と表面のネット２４との間に苔２５を挟み、適所をキルティング状にミシン糸等による中間接合部２６としたものであり、プレート１４の大きさと同一サイズに形成する。
【００３５】
苔２５は所定量の日光と水分が与えられると活性化し、不足すると仮死状態になって休眠する苔であり、例えば、すな苔とはい苔を混合したものが知られている。このような苔シートの市販品としては有限会社モスキャッチシステム製の商品名モスキャッチがある。
【００３６】
このような市販苔シートは比較的大きな規格サイズをなすので、これを必要サイズにするため任意の数に分割して使用できる。但しそのまま使用することも可能である。
【００３７】
図１０は、壁面固定の一例であり、予め壁面１にナット３１が植え込まれている形式の場合は、ジョイント金具５の取付穴１２に通して苔付パネル３の裏面でナット２９で固定された固定ボルト６は、長ボルトであって軸部３０がさらに延出して直接ナット３１へ締結してさらに別のナット３２で締め付ければ、壁面１に対して緑化壁２を適当距離を保った状態でかつ壁面１に何も加工せずに着脱自在の取付ができる。
【００３８】
図１１は壁面１に予めアンカーボルト３３が設けられている場合の取付例であり、この場合はジョイントナット３４を介して固定ボルト６を取付け、別のナット３５で締め付けることにより同様の取付けができる。
【００３９】
図１２は壁面１が薄く、かつ予め貫通穴が設けられている場合であり、この場合には壁面１へ固定ボルト６の軸部３０を貫通させ、壁面１の前後からナット３６，３７で締めることにより取付ける。なお、図１０〜１２ジョイント金具５は図３のＢタイプである。
【００４０】
図１３は下端の取付例であり、緑化壁２の下端部をなすジョイント金具５（図３のＣタイプ）を脚部材７へ固定ボルト６及びナット３８で取付ける。脚部材７は樹脂やゴム等の比較的接触が柔らかく相手側を傷つけにくい材料からなり、接地部８上に摩擦で固定される。なお、接地部８が他面の場合には、脚部材７を杭のように他面へ打ち込んでもよい。
【００４１】
このようにすると、表面に苔２５を一体化し周囲を枠部材４で囲んだ単位サイズの苔付パネル３を形成し、枠部材４の一部をなすジョイント金具５により立体配置された支持部材である壁面１へ着脱自在に取付けたので、植物の根を直接壁面１へ接触させないようになり、壁面１を損なうことがなく、撤去後の壁面１を修復する必要もない。
【００４２】
また、苔付パネル３は周囲を枠部材４で囲まれて単位サイズをなしているから、複数枚用いても統一感が得られ、かつ多数枚を連続させた場合も周囲の形状をデザイン処理されたものとし、連続させるときの形状に関するデザインも容易になる。しかも、苔自体に根がないから、苔付パネル３を立体配置しても、根が苔付パネル３の外へ張り出して見苦しくなるようなこともない。
また、一部が枯れても、苔付パネル３を一単位毎に交換できるので、交換が著しく容易になる。そのうえ、苔２５は多少の日光を水分のみがあれば良好に生育するとともに、繁りすぎて整枝等が必要になることもないから、常時全体を良好な生育状態に維持する生育管理やメンテナンス作業が容易である。
【００４３】
図１４〜２０により第２実施例を説明する。この例は枠部材４をワイヤータイプとし、かつ緑化壁２の取付けを支柱を介して行うものである。
【００４４】
この実施例における枠部材は一対の丸棒状等からなる金属又は樹脂製のワイヤー４０であり、図１６，１７に明らかなように、各縦チャンネル１０，横チャンネル１１へ入れた一対のワイヤー４０の中間へボルト２７を入れ、その頭部で両側のワイヤー４０を固定する。なお、縦チャンネル１０を通るワイヤー４０は、配列する複数の苔付パネル３の枚数分の合計長さと一致するようになっている。このようにすると、ワイヤー４０を曲げることにより、緑化壁２全体を自由に湾曲させることができる。
【００４５】
また、この例では、図１４に示すように上半部に苔付パネル３を設けず下半部のみに苔付パネル３を設けてある。これは取付相手の関係上採用される構造であり、上半部のワイヤー４０は中間部の専用ジョイント４１を介してポール４２へ取付けられる。専用ジョイント４１は略チャンネル状をなし、中央の取付穴１２を挟んで両側にボス１３が設けられる。
【００４６】
この緑化壁２のポールに対する取付構造を図１８に示す。この図は、図１６及び１７のジョイント金具５の部分で取付ける例であり、中央の取付穴１２に固定ボルト６を通し、その軸部３０をさらにポール４２を貫通して横断させ、ナット３６，３７で着脱自在に連結する。この取付構造は図１２とほぼ同じである。
【００４７】
図１９は取付構造の別例であり、角筒状のポール４２に適用したものである。固定ボルト６はコ字状ブラケット４３へナット４４及び，４５で取付けられる。コ字状ブラケット４３はポール４２の周囲に嵌合し、その一側に設けた固定ボルト４６を締め込んでその先端に設けた押さえプレート４７をポール４２の表面へ押し付けることにより固定する。
【００４８】
図２０はポール４２の上端部における固定構造を示し、壁面１の上部に引き掛けられたコ字状ブラケット４８の一辺に固定ボルト４９を設け、その先端をＬ字金具５０の上端に設けたナット５１へ結合し、固定ボルト４９をねじ込むことにより、上端５１を壁面１の表面へ押し付けるようになっている。
【００４９】
Ｌ字金具５０の他端５２はボルト５３によりポール４２の上端部へ固定されている。したがって、壁面１に対してポール４２を容易かつ着脱自在に固定できる。下端部側は前実施例同様である。
【００５０】
このようにすると、立体は位置された支持部材としてポール４２を利用できることになり、その接地も容易である。したがって、本来、支持部材がない部屋の中央部等に対しても容易に支持部材を設けることができる。
【００５１】
図２１〜２３に第３実施例を示す。この実施例では苔付パネル３は連続せず、孤立してポール４２へ取付けられている。しかし、枠部材４の各コーナーに設けられたジョイント金具５（図３のＣタイプ）の取付穴１２（図３参照）を利用してから裏面中央へ向かって取付フレーム５４を突出させ、中央でコ字状ブラケット５５へ連結している。
【００５２】
コ字状ブラケット５５はポール４２を横断方向へ貫通するボルト５６及びナット５７で取付け、緩めることにより苔付パネル３の角度調節を自在として、所望の傾斜角度でボルト５６及びナット５７を締め付けて固定する。
【００５３】
このように、苔付パネル３を連続させずに独立して用いても、周囲を枠部材４で囲まれているから、輪郭が美しいデザイン処理されたものになり、景観を良好にすることができる。また、苔付パネル３の角度調節手段を設けたので、この角度調節手段により随時苔付パネル３の傾きを最適角度に傾斜させることができ、日光及び雨水の苔面に対する供給を簡単にでき、かつ最適化できるので、苔の生育管理が容易になる。
【００５４】
図２４〜２６は第４実施例であり、この例では平行して設けられた一対のポール４２間に長尺ボルト５８を掛け渡して先端をナット５９で締結するとともに、苔付パネル３を上下２枚が連結された緑化壁２の上下方向中間部のジョイント金具５（図３のＢタイプ）にて取付穴１２を利用して取付けられた図示しないブラケットを介してこの長尺ボルト５８へ取付ける。
【００５５】
ナット５９を緩めて長尺ボルト５８を回転させれば、長尺ボルト５８と一体緑化壁２を回動させて２枚の苔付パネル３を同時に傾斜させることができる。所定角度に調整してから、ナット５９を締め付ければこの傾斜状態を固定できる。このようにすれば、角度調整機構が簡単になるとともに、複数枚の苔付パネル３を同時に角度調整できる。
【００５６】
図２６は脚部の構造を示し、パイプ状をなすポール４２の下端部開口へ樹脂又はゴム製の脚６０の首部６１を嵌合している。
【００５７】
図２７〜２８は第５実施例であり、この例では、第３実施例同様の取付フレーム５４の端部にネジ部を形成して略２つ折り状にした取付プレート６２へ貫通させ、さらにその裏に置かれたブラケット６３を貫通させてナット６４で固定する。取付プレート６２の二つ折り部分に形成されたリング状部６５に横バー６６を通し、この横バー６６を平行する一対のポール４２間に掛け渡した構造である。ナット６４の締め付けを調節することにより、リング状部６５の横バー６６に対する締め付けを調整することにより角度調節が自在になる。
【００５８】
図２９〜３０は第６実施例であり、苔付パネル３の下端部を所定長さのカラー７０を介することにより、長尺にされたボルト２７の締結時に苔付パネル３を傾けることができる。この場合、苔付パネル３は、苔保持体１５の下端部が枠部材４から浮き上がることになる（図３０）。カラー７０はボス１３に被せるか、継ぎ足して用いる。カラー７０の長さを選択することにより角度を自由に設定でき、苔付パネル３の最も簡単な角度調整が可能になる。
【００５９】
図３１〜３３は第７実施例であり、この実施例はスタンド式ディスプレイとして構成してある。すなわち、スタンドフレーム８０と脚８１からなり、スタンドフレーム８０と脚８１の開き角を調節することにより、スタンドフレーム８０の傾きを調節自在とする。
【００６０】
また、スタンドフレーム８０は上下方向へ３個分の苔付パネル３が入るスペースとし、上段に苔付パネル３を取付け、中段を広告等の表示パネル８２が入るスペースとし、下段は空間にしてウエイト８３を設けてある。スタンドフレーム８０は、図４に示した構成部品である枠部材４とジョイント金具５を利用して形成され、これまで述べたようにしてアダプター２０を介して苔付パネル３を取付ける。但し、空間となる下段部分は、必要により不使用の部分が見えないよう、アダプター２０を変形して用いる。また中段のスタンドフレーム８０の側部には特別に加工して脚８１の上端部を回動自在に取付ける。
【００６１】
ウエイト８３には、図３３に示すように、正面上部の目に付きやすい部分に苔８４を植え付け、かつ底部には凹部８５を設けて、スタンドフレーム８０及び脚８１の略下部に設けた横バー８６，８７に係合するようになっている。この凹部８５を適当間隔で前後方向へ多数設ければスタンドフレーム８０と脚８１の開き角を簡単に調節することもできる。
【００６２】
このようにすれば、緑化壁２をスタンド式デスプレイとして手軽に設置できるとともに、苔以外の表示も併設できる。また、スタンドフレーム８０が支持部材になるとともに、支持部材自体を最も簡単に角度調整できる。
【００６３】
図３４〜３５は第８実施例である。この例は変形した苔部分を有するものに関し、これまでと違って、単位サイズのプレート１４の一部に変形した苔部分を設けるものである。この場合、所定形状（例えば文字や記号もしくはパターン等）に切り抜いた基層２３を形成し、その上に苔２５を載せ、さらに同形状にカットしたアルミ合金製ネット２４を重ねてタッカー９０で一体化することにより苔保持体１５を構成したものである。
【００６４】
このようにした苔保持体１５をプレート１４上に取付けて、苔を活性化させれば、アルミ合金製ネット２４を覆って、苔が生長してして所定の形状をなし、苔による文字や模様を形成して、景観を良好にするグリーンデイスプレイになるとともに、ある種の情報伝達手段としても利用できる。
【００６５】
なお、本願発明は上記実施例に限定されず種々に変形や応用が可能であり、例えば、支持部材は空間内に立体配置されたものならば、壁やポール等に限らず種々可能であり、ネットフェンス等でもよい。またプレート１４の厚さが十分であれば、苔には根が無いのでこれが壁面へ食い込むおそれがないから、必ずしも壁面から離して取付ける必要はない。要は撤去時に取付跡を残さないようにできればよい。
【図面の簡単な説明】
【図１】第１実施例に係る施工後の正面図
【図２】その側面図
【図３】各種のジョイント金具を示す図
【図４】苔付パネルの構成図
【図５】苔付パネルの断面図
【図６】ジョイント部を示す図
【図７】図６の７−７線断面図
【図８】ジョイント金具の表側斜視図
【図９】同裏側斜視図
【図１０】壁面へ取付構造を示す図
【図１１】壁面への他の取付構造を示す図
【図１２】壁面へのさらに別の取付構造を示す図
【図１３】下端部の接地構造を示す図
【図１４】第２実施例に係る緑化壁の正面図
【図１５】その側面図
【図１６】ジョイント部の正面図
【図１７】図１６の１７−１７線断面図
【図１８】支柱の取付構造を示す図
【図１９】支柱の他の取付構造を示す図
【図２０】支柱の上端部に対する支持構造を示す図
【図２１】第３実施例に係る緑化壁の正面図
【図２２】その側面図
【図２３】支柱に対する取付構造を示す斜視図
【図２４】第４実施例に係る緑化壁の正面図
【図２５】その側面図
【図２６】支柱下端部の接地構造を示す図
【図２７】第５実施例に係る緑化壁の正面図
【図２８】その要部側面図
【図２９】第６実施例に係る断面図
【図３０】その部分拡大図
【図３１】第７実施例に係る斜視図
【図３２】その部分拡大図
【図３３】ウエイト部の断面図
【図３４】第８実施例に係る苔保持体を示す図
【図３５】図３４の３５−３５線断面図
【符号の説明】１：壁面、２：緑化壁、３：苔付パネル、４：枠部材、５：ジョイント金具、６：固定ボルト、７：脚部材、８：接地部、１５：苔補自体、２０：アダプター、４０：ワイヤー、４２：ポール、５４：取付フレーム、８０：スタンドフレーム
【図１】
2004261130.tif 000003
【図２】
2004261130.tif 000004
【図３】
2004261130.tif 000005
【図４】
2004261130.tif 000006
【図５】
2004261130.tif 000007
【図６】
2004261130.tif 000008
【図７】
2004261130.tif 000009
【図８】
2004261130.tif 000010
【図９】
2004261130.tif 000011
【図１０】
2004261130.tif 000012
【図１１】
2004261130.tif 000013
【図１２】
2004261130.tif 000014
【図１３】
2004261130.tif 000015
【図１４】
2004261130.tif 000016
【図１５】
2004261130.tif 000017
【図１６】
2004261130.tif 000018
【図１７】
2004261130.tif 000019
【図１８】
2004261130.tif 000020
【図１９】
2004261130.tif 000021
【図２０】
2004261130.tif 000022
【図２１】
2004261130.tif 000023
【図２２】
2004261130.tif 000024
【図２３】
2004261130.tif 000025
【図２４】
2004261130.tif 000026
【図２５】
2004261130.tif 000027
【図２６】
2004261130.tif 000028
【図２７】
2004261130.tif 000029
【図２８】
2004261130.tif 000030
【図２９】
2004261130.tif 000031
【図３０】
2004261130.tif 000032
【図３１】
2004261130.tif 000033
【図３２】
2004261130.tif 000034
【図３３】
2004261130.tif 000035
【図３４】
2004261130.tif 000036
【図３５】
2004261130.tif 000037